(57)【要約】【課題】受電設備の電源容量を増やすことなく、ホームドア装置を設置することのできるホームドア装置及びホームドアシステムを提供する。【解決手段】ホームドア装置２０は、受電設備５から供給される電力を蓄える蓄電池２３と、蓄電池２３から供給される電力でドア２２を開閉駆動する駆動部２４とを備える。【選択図】図１
2020093758.tif 000002
【特許請求の範囲】
【請求項１】
受電設備から供給される電力を蓄える蓄電部と、
前記蓄電部から供給される電力でドアを開閉駆動する駆動部とを備える
ホームドア装置。
【請求項２】
受電設備から供給される電力を蓄える蓄電部と、
プラットホームに沿って並べられた複数のドアを前記蓄電部から供給される電力で開閉駆動する駆動部を有する複数のホームドア装置とを備える
ホームドアシステム。
【請求項３】
受電設備から供給される電力を蓄える蓄電部と、
プラットホームに沿って並べられた複数のドアを前記蓄電部から供給される電力で開閉駆動する駆動部を有する複数のホームドア装置と、
受電設備から供給される電力が前記複数のドアの開閉駆動に不足するか否かを判定する判定部と、
前記判定部が不足すると判定したときは前記駆動部を前記蓄電部から供給される電力で駆動させ、前記判定部が不足しないと判定したときは前記駆動部を前記受電設備から供給される電力で駆動させる切替部とを備える
ホームドアシステム。
【請求項４】
前記ホームドア装置の前記複数のドアを開閉駆動する駆動部の全部又は一部の動作を異なるタイミングで開始する
請求項２又は３に記載のホームドアシステム。
【請求項５】
前記蓄電部は、自然エネルギーから得られた電力を蓄える
請求項２〜４のいずれか一項に記載のホームドアシステム。
【発明の詳細な説明】
【技術分野】
【０００１】
本発明は、ホームドア装置及びホームドアシステムに関する。
【背景技術】
【０００２】
従来、駅等のプラットホームに設置されて、プラットホームと線路等の軌道とを区画するホームドア装置が知られている（例えば、特許文献１参照）。ホームドア装置は、プラットホームに設置された戸袋部にドアが支持された状態で、ドアを駆動することで当該ドアの開閉を行う。
【先行技術文献】
【特許文献】
【０００３】
【特許文献１】特開２０００−２０３４１８号公報
【発明の概要】
【発明が解決しようとする課題】
【０００４】
ところで、ホームドア装置を既存の駅に設置する場合、駅の電源を分岐させてホームドア装置に電力を供給する。プラットホームには複数のホームドア装置が設置される。そして、複数のホームドア装置のドアが一斉に駆動されて起動時に大きな電力を消費する。このため、これを賄う電源容量の受電設備を用意する必要がある。
【０００５】
駅の受電設備からホームドア装置に必要な電源容量が得られない場合、駅の受電設備の電源容量を増やす工事をする必要がある。この工事では、受電設備の変圧器や遮断器、送電線を容量が大きいものに交換するため、多額の費用が掛かる。
【０００６】
本発明は、こうした実情に鑑みてなされたものであり、その目的は、受電設備の電源容量を増やすことなく、ホームドア装置を設置することのできるホームドア装置及びホームドアシステムを提供することにある。
【課題を解決するための手段】
【０００７】
上記課題を解決するホームドア装置は、受電設備から供給される電力を蓄える蓄電部と、前記蓄電部から供給される電力でドアを開閉駆動する駆動部とを備える。
上記構成によれば、受電設備から供給される電力を蓄える蓄電部をホームドア装置に備えるため、ホームドア装置のドアを動作させるときに、受電設備から供給される電力を使わずに、ホームドア装置のドアを動作させることができる。よって、受電設備の電源容量を増やすことなく、ホームドア装置を設置することができる。
【０００８】
上記課題を解決するホームドアシステムは、受電設備から供給される電力を蓄える蓄電部と、プラットホームに沿って並べられた複数のドアを前記蓄電部から供給される電力で開閉駆動する駆動部を有する複数のホームドア装置とを備える。
【０００９】
上記構成によれば、受電設備から供給される電力を蓄える蓄電部をホームドアシステムが備えているため、ホームドア装置のドアを動作させるときに、受電設備から供給される電力を使わずに、ホームドア装置のドアを動作させることができる。よって、ホームドア装置のドアの動作時に必要な電力が増えず、電力のピークを抑えることができ、受電設備の電源容量を増やすことなく、ホームドア装置を設置することができる。
【００１０】
上記課題を解決するホームドアシステムは、受電設備から供給される電力を蓄える蓄電部と、プラットホームに沿って並べられた複数のドアを前記蓄電部から供給される電力で開閉駆動する駆動部を有する複数のホームドア装置と、受電設備から供給される電力が前記複数のドアの開閉駆動に不足するか否かを判定する判定部と、前記判定部が不足すると判定したときは前記駆動部を前記蓄電部から供給される電力で駆動させ、前記判定部が不足しないと判定したときは前記駆動部を前記受電設備から供給される電力で駆動させる切替部とを備える。
【００１１】
上記構成によれば、受電設備から供給される電力を蓄える蓄電部をホームドアシステムが備え、電力が足りないと判定部が判定したときは切替部が蓄電部からホームドア装置の駆動部に電力を供給する。このため、ホームドア装置のドアを動作させるときに、受電設備から供給される電力が増えず、電力のピークを抑えることができ、受電設備の電源容量を増やすことなく、ホームドア装置を設置することができる。
【００１２】
上記ホームドアシステムについて、前記ホームドア装置の前記複数のドアを開閉駆動する駆動部の全部又は一部の動作を異なるタイミングで開始することが好ましい。
上記構成によれば、ホームドア装置の複数のドアを開閉駆動する駆動部の全部又は一部の動作開始のタイミングを同一プラットホーム内やプラットホーム間でずらすことで、消費電力の最大値を減少させることができ、必要な電力を抑制することができる。
【００１３】
上記ホームドアシステムについて、前記蓄電部は、自然エネルギーから得られた電力を蓄えることが好ましい。
自然エネルギーから得られる電力は発電量の変化が大きいため、必要な電力を得られなくなるおそれがある。そこで、上記構成によれば、ホームドアシステムが電力を供給する蓄電部を備え、蓄電部が自然エネルギーから得られた電力を蓄えるため、ホームドア装置の動作に必要な電力を蓄電部が供給することで、ホームドア装置を動作させることができる。
【発明の効果】
【００１４】
本発明によれば、受電設備の電源容量を増やすことなく、ホームドア装置を設置することができる。
【図面の簡単な説明】
【００１５】
【図１】ホームドア装置及びホームドアシステムの第１の実施形態における概略構成を示すブロック図。
【図２】同実施形態のホームドア装置の各状態における消費電力を示す図。
【図３】ホームドア装置及びホームドアシステムの第２の実施形態における概略構成を示すブロック図。
【図４】ホームドア装置及びホームドアシステムの第３の実施形態における概略構成を示すブロック図。
【図５】ホームドア装置及びホームドアシステムの第４の実施形態における概略構成を示すブロック図。
【図６】ホームドア装置及びホームドアシステムの第５の実施形態における概略構成を示すブロック図。
【発明を実施するための形態】
【００１６】
（第１の実施形態）
以下、図１〜図２を参照して、ホームドア装置及びホームドアシステムの第１の実施形態について説明する。ホームドア装置は鉄道等のプラットホームに設置され、ホームドアシステムは駅に設置される。
【００１７】
図１に示されるように、駅１の各プラットホーム２には、プラットホーム２の軌道３側の縁部に沿って複数のホームドア装置２０が設置されている。図１では、島式のプラットホーム２の両側にそれぞれホームドア装置２０が連続して設置されている。図１中の上側のプラットホーム２を１番ホーム２Ａとし、図１中の下側のプラットホーム２を２番ホーム２Ｂとする。１番ホーム２Ａに設置されるホームドア装置２０を第１ホームドア群２０Ａとし、２番ホーム２Ｂに設置されるホームドア装置２０を第２ホームドア群２０Ｂとする。ホームドア装置２０は、プラットホーム２を軌道３側とプラットホーム２側とに区画する。なお、ホームドア装置２０は、ホームドア装置２０に備えられるドア２２を出入させることによって乗降通路を開閉する。
【００１８】
ホームドアシステム１０は、これらホームドア装置２０を制御するホームドア制御盤１１と、ホームドア装置２０及びホームドア制御盤１１に電力を供給するホームドア用分電盤１２とを備えている。ホームドア制御盤１１は、各プラットホーム２に設置される一群のホームドア装置２０を統合制御する。ホームドア制御盤１１は、１番ホーム２Ａの第１ホームドア群２０Ａを制御する第１制御部１１Ａと、２番ホーム２Ｂの第２ホームドア群２０Ｂを制御する第２制御部１１Ｂとを備えている。第１制御部１１Ａは、第１ホームドア群２０Ａの各ホームドア装置２０と通信線ＬＣを介して接続され、各ホームドア装置２０のドア２２の開閉等の制御指令を出力する。同じく、第２制御部１１Ｂは、第２ホームドア群２０Ｂの各ホームドア装置２０と通信線ＬＣを介して接続され、各ホームドア装置２０のドア２２の開閉等の制御指令を出力する。
【００１９】
ホームドア用分電盤１２には、駅配電盤４から第１電力線ＬＰ１を介して電力が供給される。駅配電盤４には、受電設備５を介して高圧電線が接続されている。電気は、駅配電盤４まで高圧で供給され、駅配電盤４において変圧されてホームドア用分電盤１２に供給される。ホームドア用分電盤１２は、第２電力線ＬＰ２を介して各ホームドア装置２０とホームドア制御盤１１と接続され、第２電力線ＬＰ２を介して電力を供給する。
【００２０】
ホームドア装置２０は、略矩形状の戸袋部２１を備えている。戸袋部２１は、プラットホーム２に固定されている。戸袋部２１は、戸袋部２１からプラットホーム２の延出方向に進出するドア２２を移動可能に支持している。戸袋部２１には、ドア２２を駆動する駆動部２４が収納されている。
【００２１】
ホームドア装置２０は、ホームドア用分電盤１２から供給された電力を蓄える蓄電部としての蓄電池２３を備えている。１番ホーム２Ａ及び２番ホーム２Ｂの全てのホームドア装置２０に蓄電池２３が備えられている。ホームドア装置２０の駆動部２４は、蓄電池２３から供給される電力でドア２２を開閉駆動する。
【００２２】
ホームドア装置２０は、この蓄電池２３に蓄えられた電力によって常に動作する。すなわち、ホームドア装置２０が動作するときに、受電設備５から供給されている電力を使用しないため、つまりホームドア装置２０が動作していない時等に蓄えられた電力で賄われるため、ホームドア用分電盤１２ひいては駅配電盤４及び受電設備５におけるホームドア装置２０が動作することによる消費電力は増加しない。なお、１番ホーム２Ａや２番ホーム２Ｂに設置される複数のホームドア装置２０のうちのいずれかに蓄電池２３を備えて、同じ蓄電池２３から供給される電力を複数のホームドア装置２０で共有してもよい。
【００２３】
ここで、図２を参照して、ホームドア装置２０の各状態における消費電力について説明する。
図２に示すように、ホームドア装置２０の消費電力は、ドア２２の開動作を行うとき及び閉動作を行うときに高くなり、特にドア２２の開動作及び閉動作の起動時に最も高くなる。ドア２２の開動作及び閉動作の起動時の消費電力を「起動電力Ｗ１」とし、ドア２２の開動作及び閉動作の動作中の消費電力を「動作電力Ｗ２」とする（Ｗ１＞Ｗ２）。ドア２２の開動作及び閉動作を行わないときのホームドア装置２０の消費電力は、ホームドア装置２０が待機状態であるので「待機電力Ｗ０」である（Ｗ０＜Ｗ２＜Ｗ１）。
【００２４】
ホームドア装置２０は、消費電力が比較的低い待機状態であるときに、ホームドア用分電盤１２を介して蓄電池２３に電力を蓄える。ホームドア装置２０は、蓄電池２３に電力を蓄えるときの消費電力が動作電力Ｗ２よりも低くなるように充電すれば、蓄電池２３の充電に伴う消費電力を抑制することができる。ホームドア用分電盤１２は、ホームドア用分電盤１２における消費電力が電源容量に近くなった場合には、ホームドア制御盤１１を介してホームドア装置２０に蓄電池２３への充電を抑制させる又は停止させる。
【００２５】
次に、列車の状態と併せて説明する。
プラットホーム２に列車が到着して停止するまでの間は、ホームドア装置２０は待機状態であって、消費電力は待機電力Ｗ０である。
【００２６】
続いて、列車の扉の開動作に合わせて、ホームドア装置２０のドア２２が開動作を行う。ホームドア装置２０の消費電力は、ドア２２の開動作の起動によって開動作開始から時間ＴＡまで起動電力Ｗ１であり、その後開動作開始から開動作が終了する時間ＴＢまで動作電力Ｗ２である。
【００２７】
続いて、ホームドア装置２０のドア２２が全開して乗降客が乗降している間は、ホームドア装置２０の消費電力は待機電力Ｗ０である。
続いて、列車の扉の閉動作に合わせて、ホームドア装置２０のドア２２が閉動作を行う。ホームドア装置２０のドア２２の開動作開始から時間ＴＡまでのホームドア装置２０の消費電力は、起動電力Ｗ１である。時間ＴＡは、例えば１〜２秒程度である。その時間ＴＡ経過後の開動作中のホームドア装置２０の消費電力は、動作電力Ｗ２である。開動作開始から開動作が終了するまでの時間ＴＢは、例えば３〜１５秒である。
【００２８】
続いて、ホームドア装置２０のドア２２が全開して乗降客が乗降している間、開動作終了時から閉動作開始までのホームドア装置２０の消費電力は、待機電力Ｗ０である。開動作開始から閉動作開始までの時間ＴＣは、列車の停車時間に相当し、例えば３０〜６０秒である。
【００２９】
続いて、ホームドア装置２０のドア２２が全閉して列車が発車して次の列車が到着するまでの間は、ホームドア装置２０の消費電力は待機電力Ｗ０である。開動作開始から次の開動作開始までの時間ＴＤは、列車の運行間隔に相当し、例えば３〜１５分である。そして、次の列車が到着して停止すると、列車の扉の開動作に合わせて、ホームドア装置２０のドア２２が開動作を行う。
【００３０】
次に、図１及び図２を参照して、上記ホームドア装置２０及びホームドアシステム１０の作用について説明する。
上記のホームドア装置２０の消費電力について説明したように、ホームドア装置２０が動作する周期は列車の運行間隔によって決まり、ホームドア装置２０は一日を通してみると大部分は待機状態である。また、消費電力が大きくなるのは、ホームドア装置２０の開動作及び閉動作の起動時の時間ＴＡである。このように、ホームドア装置２０の開動作及び閉動作の起動時の時間ＴＡのために、駅１における電源容量が足りなくなることがある場合に、受電設備５の電源容量を増やすことなく、駅１にホームドア装置２０を導入することが求められている。
【００３１】
そこで、各ホームドア装置２０は蓄電池２３を備えている。このため、ドア２２の開動作及び閉動作を行うときに、蓄電池２３の消費電力は最大で起動電力Ｗ１となるが、ホームドア用分電盤１２及び受電設備５における消費電力は増えない。よって、受電設備５の電源容量を増やすことなく、ホームドア装置２０を設置することができる。
【００３２】
以上説明したように、本実施形態によれば、以下の効果を奏することができる。
（１）受電設備５から供給される電力を蓄える蓄電部としての蓄電池２３をホームドア装置２０が備えているため、ホームドア装置２０のドア２２を動作させるときに、受電設備５から供給される電力を使わずに、ホームドア装置２０のドア２２を動作させることができる。よって、受電設備５の電源容量を増やすことなく、ホームドア装置２０を設置することができる。
【００３３】
（２）同一のプラットホーム２に受電設備５から供給される電力を蓄える蓄電池２３を備えるホームドア装置２０が複数設置されるため、プラットホーム２のホームドア装置２０を動作させる電力量を低減することができる。よって、受電設備５の電源容量を増やすことなく、ホームドア装置２０を設置することができる。
【００３４】
（第２の実施形態）
以下、図３を参照して、ホームドアシステムの第２の実施形態について説明する。この実施形態のホームドア装置は、蓄電部を備えていない点、及びホームドアシステムが蓄電部を備えている点が上記第１の実施形態と異なっている。以下、第１の実施形態との相違点を中心に説明する。
【００３５】
図３に示すように、ホームドアシステム１０のホームドア用分電盤１２は、駅配電盤４から供給される電力を蓄える蓄電部としての蓄電池１３を備えている。ホームドア用分電盤１２の蓄電池１３は、第２電力線ＬＰ２を介して各ホームドア装置２０とホームドア制御盤１１と接続され、蓄電池１３から第２電力線ＬＰ２を介して電力を供給する。
【００３６】
ホームドア用分電盤１２は、消費電力が比較的低い待機状態であるときに、蓄電池１３に電力を蓄える。ホームドア用分電盤１２は、蓄電池１３に電力を蓄えるときの消費電力がホームドア装置２０の動作電力Ｗ２の合計よりも低くなるように充電すれば、蓄電池１３の充電に伴う消費電力を抑制することができる。
【００３７】
このように、ホームドア用分電盤１２は蓄電池１３を備えている。このため、ドア２２の開動作及び閉動作を行うときに、蓄電池１３の消費電力は最大で起動電力Ｗ１の合計となるが、ホームドア用分電盤１２及び受電設備５における消費電力は増えない。よって、受電設備５の電源容量を増やすことなく、ホームドア装置２０を設置することができる。
【００３８】
以上説明したように、本実施形態によれば、以下の効果を奏することができる。
（３）受電設備５から供給される電力を蓄える蓄電部としての蓄電池１３をホームドアシステム１０のホームドア用分電盤１２が備えているため、ホームドア装置２０のドア２２を動作させるときに、受電設備５から供給される電力を使わずに、ホームドア装置２０のドア２２を動作させることができる。よって、ホームドア装置２０のドア２２の動作時に必要な電力が増えず、電力のピークを抑えることができ、受電設備５の電源容量を増やすことなく、ホームドア装置２０を設置することができる。
【００３９】
（第３の実施形態）
以下、図４を参照して、ホームドアシステムの第３の実施形態について説明する。この実施形態のホームドアシステムは、蓄電池１３に蓄えられた電力の用い方が上記第２の実施形態と異なっている。以下、第２の実施形態との相違点を中心に説明する。
【００４０】
図４に示すように、ホームドアシステム１０のホームドア用分電盤１２は、駅配電盤４から供給される電力を蓄える蓄電部としての蓄電池１３を備えている。ホームドア用分電盤１２は、駅配電盤４と蓄電池１３との間の第１電力線ＬＰ１に切替部としての切替スイッチ１４を備えている。切替スイッチ１４は、第２電力線ＬＰ２を介して各ホームドア装置２０及びホームドア制御盤１１と接続されている。切替スイッチ１４は、各ホームドア装置２０及びホームドア制御盤１１に電力を供給する電源を切り替える。すなわち、各ホームドア装置２０及びホームドア制御盤１１は、この切替スイッチ１４を介して蓄電池１３と、駅配電盤４に接続される第１電力線ＬＰ１とに接続されている。蓄電池１３は、電力を蓄える充電のために、切替スイッチ１４を介さず第１電力線ＬＰ１と別途接続されている。
【００４１】
また、ホームドア用分電盤１２は、駅配電盤４と蓄電池１３との間の第１電力線ＬＰ１の消費電力を検出して、ホームドア用分電盤１２に供給される電力が足りるか否かを判定する判定部１５を備えている。ここで、ホームドア用分電盤１２に供給される電力が足りるとは、ホームドア用分電盤１２の電源容量が消費電力よりも高い状態である。一方、ホームドア用分電盤１２に供給される電力が足りないとは、ホームドア用分電盤１２の電源容量が消費電力よりも低い状態である。特に、判定部１５は、受電設備５から供給される電力が複数のドア２２の開閉駆動に不足するか否かを判定する。
【００４２】
判定部１５は、ホームドア用分電盤１２の電源が入れられると、ホームドア用分電盤１２に供給される電力が足りるか否かを常に判定する。そして、判定部１５は、ホームドア用分電盤１２に供給される電力が足りると判定したときは、切替スイッチ１４を第１電力線ＬＰ１と第２電力線ＬＰ２とを接続する第１状態とする。一方、判定部１５は、ホームドア用分電盤１２に供給される電力が足りないと判定したときは、切替スイッチ１４を蓄電池１３と第２電力線ＬＰ２とを接続する第２状態とする。
【００４３】
ホームドア用分電盤１２は、切替スイッチ１４が第１状態であるときに、蓄電池１３に電力を蓄える。ホームドア用分電盤１２は、蓄電池１３に電力を蓄えるときの消費電力が動作電力Ｗ２の合計よりも低くなるように充電すれば、蓄電池１３の充電に伴う消費電力を抑制することができる。
【００４４】
このように、ホームドア用分電盤１２は蓄電池１３を備え、ホームドア用分電盤１２に供給される電力が足りないときに蓄電池１３に蓄えた電力を用いる。このため、ドア２２の開動作及び閉動作を行うときに、蓄電池１３の消費電力は最大で起動電力Ｗ１の合計となるが、ホームドア用分電盤１２及び受電設備５における消費電力は増えない。よって、受電設備５の電源容量を増やすことなく、ホームドア装置２０を設置することができる。
【００４５】
以上説明したように、本実施形態によれば、以下の効果を奏することができる。
（４）受電設備５から供給される電力を蓄える蓄電池１３をホームドアシステム１０のホームドア用分電盤１２が備え、電力が足りないと判定部１５が判定したときは切替スイッチ１４が蓄電池１３からホームドア装置２０の駆動部２４に電力を供給する。このため、ホームドア装置２０のドア２２を動作させるときに、受電設備５から供給される電力が増えず、電力のピークを抑えることができ、受電設備５の電源容量を増やすことなく、ホームドア装置２０を設置することができる。
【００４６】
（第４の実施形態）
以下、図５を参照して、ホームドアシステムの第４の実施形態について説明する。この実施形態のホームドアシステムは、発電装置からホームドア用分電盤１２に電力が供給される点が上記第１の実施形態と異なっている。以下、第１の実施形態との相違点を中心に説明する。
【００４７】
図５に示すように、ホームドア用分電盤１２には、駅配電盤４と接続される第１電力線ＬＰ１に加え、自然エネルギーから電力を得る太陽光発電３１及び風力発電３２と接続される第３電力線ＬＰ３が接続されている。すなわち、ホームドア用分電盤１２は、太陽光発電３１及び風力発電３２から電力が供給される。太陽光発電３１及び風力発電３２は、制御器３３を介して第３電力線ＬＰ３が接続されている。制御器３３は、太陽光発電３１及び風力発電３２で発電された直流の電気を交流の電気に変換するとともに、出力電力を制御するパワーコンディショナ等を備えている。制御器３３は、太陽光発電３１及び風力発電３２の出力電力が所定の電力を満たしているか否かの情報をホームドア用分電盤１２に出力する。所定の電力とは、ホームドア装置２０の蓄電池２３に充電を行うことができる電力のことである。
【００４８】
ホームドア用分電盤１２は、第２電力線ＬＰ２の接続先を第１電力線ＬＰ１と第３電力線ＬＰ３とで切り替える切替スイッチ３４を備えている。切替スイッチ３４は、第２電力線ＬＰ２と第３電力線ＬＰ３とを接続する第１状態と、第２電力線ＬＰ２と第１電力線ＬＰ１とを接続する第２状態とを切り替える。
【００４９】
ホームドア用分電盤１２は、太陽光発電３１及び風力発電３２の出力電力が所定の電力を満たすときには、切替スイッチ３４を第１状態とする。一方、ホームドア用分電盤１２は、太陽光発電３１及び風力発電３２の出力電力が所定の電力を満たさないときには、切替スイッチ３４を第２状態とすることで、受電設備５から電力を供給する。
【００５０】
このように、太陽光発電３１及び風力発電３２で発電された電力をホームドア用分電盤１２を介してホームドア装置２０に供給するが、太陽光発電３１及び風力発電３２の発電量の変化が大きいため、必要な電力を得られなくなるおそれがある。そこで、ホームドア装置２０の蓄電池２３に電力を蓄えることで、太陽光発電３１及び風力発電３２が発電した電力を有効に活用することができる。
【００５１】
以上説明したように、本実施形態によれば、第１の実施形態の（１）及び（２）の効果に加え、以下の効果を奏することができる。
（５）ホームドア装置２０が電力を供給する蓄電部としての蓄電池２３を備え、蓄電池２３が太陽光発電３１及び風力発電３２から供給された電力を蓄えるため、ホームドア装置２０の動作に必要な電力を蓄電池２３が供給することで、ホームドア装置２０を動作させることができる。
【００５２】
（第５の実施形態）
以下、図６を参照して、ホームドアシステムの第５の実施形態について説明する。この実施形態のホームドアシステムは、発電装置からホームドア用分電盤１２に電力が供給される点が上記第２の実施形態と異なっている。以下、第２の実施形態との相違点を中心に説明する。
【００５３】
図６に示すように、ホームドア用分電盤１２には、駅配電盤４と接続される第１電力線ＬＰ１に加え、太陽光発電３１及び風力発電３２と接続される第３電力線ＬＰ３が接続されている。すなわち、ホームドア用分電盤１２は、太陽光発電３１及び風力発電３２から電力が供給される。太陽光発電３１及び風力発電３２は、制御器３３を介して第３電力線ＬＰ３が接続されている。制御器３３は、太陽光発電３１及び風力発電３２で発電された直流の電気を交流の電気に変換するとともに、出力電力を制御するパワーコンディショナ等を備えている。制御器３３は、太陽光発電３１及び風力発電３２の出力電力が所定の電力を満たしているか否かの情報をホームドア用分電盤１２に出力する。所定の電力とは、ホームドア装置２０の蓄電池２３に充電を行うことができる電力のことである。
【００５４】
ホームドア用分電盤１２は、供給される電力を蓄える蓄電部としての蓄電池１３を備えている。各ホームドア装置２０及びホームドア制御盤１１に接続される第２電力線ＬＰ２は、蓄電池１３に接続されている。
【００５５】
ホームドア用分電盤１２は、蓄電池１３の接続先を第１電力線ＬＰ１と第３電力線ＬＰ３とで切り替える切替スイッチ３４を備えている。切替スイッチ３４は、蓄電池１３と第３電力線ＬＰ３とを接続する第１状態と、第２電力線ＬＰ２と第１電力線ＬＰ１とを接続する第２状態とを切り替える。
【００５６】
ホームドア用分電盤１２は、太陽光発電３１及び風力発電３２の出力電力が所定の電力を満たすときには、切替スイッチ３４を第１状態とする。一方、ホームドア用分電盤１２は、太陽光発電３１及び風力発電３２の出力電力が所定の電力を満たさないときには、切替スイッチ３４を第２状態とすることで、受電設備５から電力を供給する。
【００５７】
このように、太陽光発電３１及び風力発電３２で発電された電力をホームドア用分電盤１２に供給するが、太陽光発電３１及び風力発電３２の発電量の変化が大きいため、必要な電力を得られなくなるおそれがある。そこで、ホームドア用分電盤１２の蓄電池１３に電力を蓄えることで、太陽光発電３１及び風力発電３２が発電した電力を有効に活用することができる。
【００５８】
以上説明したように、本実施形態によれば、第２の実施形態の（３）の効果に加え、以下の効果を奏することができる。
（６）ホームドアシステム１０のホームドア用分電盤１２が電力を供給する蓄電池１３を備え、蓄電池２３が太陽光発電３１及び風力発電３２から供給された電力を蓄えるため、ホームドア装置２０の動作に必要な電力を蓄電池１３が供給することで、ホームドア装置２０を動作させることができる。
【００５９】
（他の実施形態）
上記各実施形態は、以下のように変更して実施することができる。上記各実施形態及び以下の変更例は、技術的に矛盾しない範囲で互いに組み合わせて実施することができる。
【００６０】
・上記第２〜４の実施形態において、ホームドア装置２０のドア２２の開動作の開始を異なるタイミングで行い、ホームドア装置２０のドア２２の閉動作の開始を異なるタイミングで行うようにしてもよい。例えば、同一プラットホーム２内でホームドア装置２０のドア２２の動作開始を異なるタイミングで行ったり、プラットホーム２単位でホームドア装置２０のドア２２の動作開始を異なるタイミングで行ったりしてもよい。このようにすれば、ホームドア用分電盤１２の蓄電池１３における消費電力の最大値を減少させることができ、必要な電力を抑制することができる。
【００６１】
・上記第３の実施形態では、切替スイッチ１４が第１電力線ＬＰ１と蓄電池１３とを切り替えて、受電設備５からの電力と蓄電池１３の電力とを切り替えた。しかしながら、受電設備５からの電力と蓄電池１３の電力とを組み合わせて供給してもよい。
【００６２】
・上記第４，５の実施形態では、発電装置として太陽光発電３１及び風力発電３２の両方をホームドア用分電盤１２に接続したが、発電装置として太陽光発電３１及び風力発電３２のいずれか一方であってもよい。また、発電装置として太陽光発電３１及び風力発電３２に限らず、地熱発電や潮力発電等の他の発電装置をホームドア用分電盤１２に接続してもよい。
【００６３】
・上記第４，５の実施形態では、発電装置をホームドア用分電盤１２に接続したが、発電装置を駅１の受電設備５又は駅配電盤４に接続してもよい。なお、発電装置から供給される電気は、受電設備５及び駅配電盤４の仕様に合わせた状態で供給される。
【００６４】
・上記各実施形態では、１番ホーム２Ａと２番ホーム２Ｂとの２つのプラットホーム２が設けられた駅１としたが、駅１に設けられるプラットホーム２の数は１つでも、３つ以上であってもよい。
【００６５】
・上記各実施形態では、蓄電部として蓄電池１３，２３を採用したが、蓄電部として電気二重層コンデンサや、フライホイールに回転エネルギーとして保存して電気エネルギーとして放出する装置等を採用してもよい。
【符号の説明】
【００６６】
１…駅、２…プラットホーム、２Ａ…１番ホーム、２Ｂ…２番ホーム、３…軌道、４…駅配電盤、５…受電設備、１０…ホームドアシステム、１１…ホームドア制御盤、１２…ホームドア用分電盤、１３…蓄電部としての蓄電池、１４…切替部としての切替スイッチ、１５…判定部、２０…ホームドア装置、２０Ａ…第１ホームドア群、２０Ｂ…第２ホームドア群、２１…戸袋部、２２…ドア、２３…蓄電部としての蓄電池、２４…駆動部、３１…太陽光発電、３２…風力発電、３３…制御器、３４…切替スイッチ、Ｗ０…待機電力、Ｗ１…起動電力、Ｗ２…動作電力、ＴＡ，ＴＢ，ＴＣ，ＴＤ…時間。
【図１】
2020093758.tif 000003
【図２】
2020093758.tif 000004
【図３】
2020093758.tif 000005
【図４】
2020093758.tif 000006
【図５】
2020093758.tif 000007
【図６】
2020093758.tif 000008